(57)【要約】【課題】脱臭及び消音機能を有した、通気抵抗の小さい通気口設備を提供する。【解決手段】コンクリート等よりなる外壁１に通気口２が設けられており、この通気口２にガラリ３が設けられている。この通気口２の室内側に枠体４が配置され、この枠体４の内側に脱臭消音体５が配置されている。脱臭消音体５同士の間及び脱臭消音体５と枠体４との間にはそれぞれスポンジ６等の弾性体が介在されている。脱臭消音体５は、セラミック繊維よりなるシートをハニカム状に成形したものであって、且つ触媒粒子を担持することなどによって脱臭機能を有したものである。脱臭消音体５に対面して遮音板１０が設けられている。【選択図】図１
2007016440.tif 000002
【特許請求の範囲】
【請求項１】
通気口と、該通気口又は該通気口に連なる流路を横断するように設けられたハニカム形の脱臭消音体と、該脱臭消音体に対面して配置された吸音体又は遮音板とを備えてなる通気口設備。
【請求項２】
請求項１において、該脱臭消音体が設置された部分の該流路の断面積は通気口の開口面積よりも大であり、
該脱臭消音体は、複数個、積み重ねて配置されていることを特徴とする通気口設備。
【請求項３】
請求項１又は２において、該脱臭消音体に対し遮音板が対面配置されており、
該脱臭消音体と遮音板との互いに対面する部分の面積は遮音板の方が大きいことを特徴とする通気口設備。
【発明の詳細な説明】
【技術分野】
【０００１】
本発明は建物の換気口などに適用される通気口設備に係り、特にし尿処理場や下水処理場等の臭気発生源や騒音源を内部に持つ建物の換気口等に適用するのに好適な通気口設備に関する。
【背景技術】
【０００２】
し尿処理場や下水処理場は内部に臭気発生源があるので、その臭気対策を行っているが、建物のガラリから臭気がもれることが多く、周辺環境を悪くしている。
【０００３】
また、上記し尿処理場や下水処理場は内部に機械等の騒音源があるので、防音処置は行っているが、建物のガラリから騒音がもれることが多く、周辺環境を悪くしている。
【０００４】
第３図は換気ないし吸気ファン３１と換気ガラリ３２を有した建屋３０内に廃棄物貯留槽、汚水貯留槽、汚水滞水池などの臭気発生源３３と、ポンプ、ファン、撹拌機、移送機械、脱水機などの騒音発生源３４とが配置された様子を模式的に示す断面図である。３５，３６は建屋３０の壁３７に設けられた開口部を示す。開口部３５にファン３１が設置され、開口部３６にガラリ３２が設置されている。
【０００５】
この建屋３０内からは、該開口部３５，３６を通して臭気や騒音が周囲に広がる。
【０００６】
第６図（ａ），（ｂ）は汚水枡からの臭気や騒音の発生状況を示す模式的な断面図である。
【０００７】
第６図（ａ）では、汚水枡６０には、汚水の流入管６１と流出管６２、排水ポンプ６２ａが接続されている。汚水枡６０の天井部に排気口６３が設けられ、その上側に脱臭用ハウジング６４が設置されている。該ハウジング６４は筒状であり、その中途高さ部分を横切るように脱臭フィルタ６５が配置されている。ハウジング６４の頂部に排気ダクト６６が立設されている。
【０００８】
第６図（ａ）では、このダクト６６はＬ字形であり、横引きされた末端が大気に開放している。
【０００９】
第６図（ｂ）では、ダクト６７の末端が排気ファン６８を介して排気ダクト６９に連なっている。第６図（ｂ）のその他の構成は同（ａ）と同一であり、同一符号は同一部分を示している。
【００１０】
第６図（ａ），（ｂ）において、流入管６１から汚水が汚水枡６０に流入すると、水位が上昇し、ヘッドスペースＳの空気がダクト６６又は６９から流出する。この際、汚水の落下音やポンプ６２ａの作動音などの騒音がダクト６６，６９を介して周囲に伝播する。
【００１１】
ヘッドスペースＳの空気は、臭気を含んでいるので、この臭気の汚水枡周囲への拡散を防止するため、脱臭フィルタ６５を設けている。ところが、この脱臭フィルタ６５を設けると、通気抵抗が増大するため、汚水の流入に支障が生じたり、排水ポンプ６２ａによる送水時に、ポンプ６２ａへの水の呼び込みに不良が生じたりするおそれがある。また、第６図（ｂ）のように排気ファン６８を設置した場合、脱臭フィルタ６５の通気抵抗が大きいと、該ファン６８の動力が大きくなり、騒音が大きくなる。脱臭フィルタの通気抵抗を小さくするためにハニカム状フィルタを設けることが考えられるが、このハニカム状フィルタは一般に臭気を通過させ易いため、ダクト６６又は６９から周囲に伝播する臭気レベルが高くなる。
【００１２】
なお、特公平７−６８８２１号公報には、ガラリフィンの延出長さを変えることにより通風路通過音を位相干渉させて消音する消音ガラリが記載されている。
【特許文献１】特公平７−６８８２１号公報
【発明の開示】
【発明が解決しようとする課題】
【００１３】
上記特公平７−６８８２１号公報の消音ガラリは、消音機能は有するが、脱臭機能は有していない。
【００１４】
本発明は、通気抵抗が小さく、しかも優れた脱臭及び消音機能を有した通気口設備を提供することを目的とする。
【課題を解決するための手段】
【００１５】
本発明（請求項１）の通気口設備は、通気口と、該通気口又は該通気口に連なる流路を横断するように設けられたハニカム形の脱臭消音体と、該脱臭消音体に対面して配置された吸音体又は遮音板とを備えてなるものである。
【００１６】
請求項２の通気口設備は、請求項１において、該脱臭消音体が設置された部分の該流路の断面積は通気口の開口面積よりも大であり、該脱臭消音体は、複数個、積み重ねて配置されていることを特徴とするものである。
【００１７】
請求項３の通気口設備は、請求項１又は２において、該脱臭消音体に対し遮音板が対面配置されており、該脱臭消音体と遮音板との互いに対面する部分の面積は遮音板の方が大きいことを特徴とするものである。
【発明の効果】
【００１８】
かかる本発明の通気口設備によると、脱臭消音体によって脱臭及び消音効果が奏される。この脱臭消音体はハニカム状であるから、通気抵抗が小さい。本発明では、この脱臭消音体に対面して吸音体又は遮音板を設けているから、この脱臭消音体を通過した又は通過しようとする騒音が小さくなる。
【００１９】
請求項２のように構成した場合には、脱臭消音体を設けることによる流路の通気圧損増大を抑制することができる。また、通風量や臭気濃度に応じて脱臭消音体の段数を変えることにより、脱臭消音体のコスト減を図ることも可能である。一部の脱臭消音体に機能低下が生じた場合には、その脱臭消音体のみを交換することもできる。なお、通風量や臭気濃度に応じて脱臭消音体の面積や厚みを変えてもよい。
【００２０】
請求項３のように構成した場合には、ハニカム状脱臭消音体を通過した又は通過しようとする騒音の直進が確実に防止され、伝播する騒音レベルがさらに低いものとなる。
【発明を実施するための最良の形態】
【００２１】
以下、図面を参照して本発明の好ましい形態について説明する。第１図及び第２図はそれぞれ実施の形態に係る通気口設備を示す断面図である。第１図では、コンクリート等よりなる外壁１に通気口２が設けられており、この通気口２にガラリ３が設けられている。この通気口２の室内側に枠体４が配置され、この枠体４の内側に脱臭消音体５が配置されている。
【００２２】
この脱臭体５は、この実施の形態では上下５段に設置されており、脱臭消音体５同士の間及び脱臭消音体５と枠体４との間にはそれぞれスポンジ６等の弾性体が介在されている。
【００２３】
第１図では、枠体４は外壁１に直に取り付けられているが、第２図では、枠体４はフード８を介して外壁１に取り付けられている。枠体４の内側の開口面積（通気断面積）は通気口２の開口面積よりも大である。フード８は、外壁１側から枠体４側に向って次第に拡大する形状のものである。第２図はフード８の有無以外は第１図と同一の構成となっている。
【００２４】
脱臭消音体５は、第１，２図において、下から３段目のものだけ詳細に図示されているように、通風方向に貫通した多数の細孔を有したブロック状のものである。この脱臭消音体５としては、後述の第５図に示したものが好適である。
【００２５】
この脱臭消音体５は、多数の細孔を有するため消音機能も有する。
【００２６】
この枠体４から棒状支持部材としてのステー１１が突設され、このステー１１の先端に遮音板１０がナット等によって着脱可能に取り付けられている。この遮音板１０は脱臭消音体５の積重体に対面している。
【００２７】
この実施の形態では、遮音板１０は脱臭消音体５の積重体の全体の対峙面積よりも大きい板面を有している。即ち、該積重体を遮音板１０に投影した場合、遮音板１０の投影像の全周囲から遮音板１０がはみ出すように、遮音板１０が十分に大きなものとなっている。
【００２８】
このように構成された通気口設備にあっては、脱臭消音体５により脱臭及び消音作用が奏されると共に、遮音板１０によって騒音が脱臭消音体５に向って直進することが阻止されるため、室内の臭気や騒音が外部に伝播することが防止ないし抑制される。この脱臭消音体５はブロック状であるため、一部のものに機能低下（例えば目詰まりや飽和吸着など）が生じたときには、その脱臭消音体のみを交換することもできる。
【００２９】
なお、室内の騒音や臭気レベルが低いときには、脱臭消音体５として厚みの小さいものを用いてコストダウンを図るようにしてもよい。通風量が少なく、且つ臭気レベルも低いときには、一部の脱臭消音体の代わりに非脱臭及び非消音性のブロックを配置してもよい。
【００３０】
この実施の形態では、枠体４として通気口２よりも大形のものを用いているので、通気圧損が低い。特に、第２図のようにテーパ状に拡大するフード８を設けると、通気圧損がさらに低下する。
【００３１】
この実施の形態の通気口設備は、構成が極めて簡易であるため、低コストであり、また既存の建物にも容易に設置することができる。
【００３２】
なお、ガラリ３にシャッターや防虫網を設けてもよい。
【００３３】
第４図を参照して別の実施の形態について説明する。
【００３４】
この実施の形態は、前記第３図に示した建屋３０の開口部３６にハニカム構造の脱臭消音体４０が装着されている。ハニカム構造としては、第５図（ａ）〜（ｄ）に例示したもののいずれでもよく、またこれら以外のものであってもよい。
【００３５】
第５図（ａ）の脱臭消音体４０ａは、波板と平板とを交互に積層した段ボール状ハニカム構造を有する。第５図（ｂ）の脱臭消音体４０ｂは斜交格子状のハニカム構造を有する。第５図（ｃ）の脱臭消音体４０ｃは正方格子状のハニカム構造を有する。第５図（ｄ）の脱臭消音体４０ｄは六角形状のハニカム構造を有する。
【００３６】
脱臭フィルタとしては、粉状活性炭を成形したもの；Ｍｎ−Ｃｕ−Ｔｉ酸化物触媒粒子を担持させたもの；セラミックよりなり、表面にＦｅ系やＣｕ系金属触媒を担持させたもの；ゼオライト、竹の炭と金属粉（Ｆｅ、Ｃｕ、Ｔｉなど）を混合して成形したもの；セラミック繊維よりなり、表面に活性炭やチタニア系光触媒粒子を担持させたもの等が例示されるが、これに限定されない。
【００３７】
第４図に示す通り、この実施の形態では脱臭消音体４０に対面して遮音板４２が設置されている。この遮音板４２はステー４１を介して壁３７に取り付けられているが、前記第１，２図のように開口部３６に枠を設置したときにはこの枠に対しステー等を介して取り付けてもよい。この遮音板４２は脱臭消音体４０の対峙面よりも大きい板面積のものである。
【００３８】
第４図では、遮音板４２は室内側に配置されているが、窓外側に配置されてもよい。
【００３９】
この実施の形態においても、優れた脱臭、消音、防音効果が奏される。
【００４０】
第７図を参照してさらに別の実施の形態について説明する。第７図は、前記第６図（ａ）の脱臭用ハウジング６４を本発明構造に改良したものである。
【００４１】
第７図（ａ）では、脱臭用ハウジング６４内に、排気口６３に対峙する遮音板７１がステー７２を介して設置されている。また、脱臭用ハウジング６４の天井部の排気口７３に対峙して遮音板７４がステー７５を介して設置されている。脱臭フィルタ６５Ａはハニカム状の脱臭消音体である。
【００４２】
第７図（ｂ）では、脱臭用ハウジング６４の天井面部分に吸音体７６が設けられている。また、ダクト６６のうち少なくとも下向き面に吸音体７６が設けられている。吸音体７６はダクト６６の内面全体に設けられてもよい。吸音体７６としては、フェルト等が好適である。第７図のその他の符号は第６図と同一部分を示す。
【００４３】
この第７図の構造によっても、優れた脱臭、消音、防音効果が奏される。
【００４４】
なお、本発明では、通気口の空気流速は０．１〜３０ｍ／ｓｅｃ程度が望ましい。
【００４５】
ハニカム状脱臭消音体は、ハニカム開口の数が３０〜３００個／（インチ）２程度が望ましい。
【００４６】
遮音板は、金属板、合成樹脂板などが好適である。遮音板の表面にグラスウール等の吸音材を設けてもよい。遮音板を多孔質と板にて構成することにより、遮音機能と吸音機能とを具備させてもよい。
【００４７】
上記の通気口は吸気口、排気口のいずれでもよい。吸音材や遮音板は、消音脱臭材の室内側、室外側のいずれでもよいが、騒音発生源側に配置される方が望ましい。
【図面の簡単な説明】
【００４８】
【図１】実施の形態に係る通気口設備の断面図である。
【図２】別の実施の形態に係る通気口設備の断面図である。
【図３】従来例に係る建屋の断面図である。
【図４】実施の形態に係る通気口設備の断面図である。
【図５】脱臭消音材の斜視図である。
【図６】従来例に係る汚水枡の断面図である。
【図７】実施の形態に係る脱臭用ハウジングの断面図である。
【符号の説明】
【００４９】
１  外壁
２  通気口
３  ガラリ
４  枠体
５  脱臭消音体
６  スポンジ
１０，４２，７１，７４  遮音板
７６  吸音体
【図１】
2007016440.tif 000003
【図２】
2007016440.tif 000004
【図３】
2007016440.tif 000005
【図４】
2007016440.tif 000006
【図５】
2007016440.tif 000007
【図６】
2007016440.tif 000008
【図７】
2007016440.tif 000009